(57)【要約】【課題】  ガレージや物置や温室等として用いられる蛇腹式テントに於て、組立部品化できて運搬したり保管したりし易い様にする。【解決手段】  天井部５と支柱６を備えた複数の門型枠体２と、各門型枠体２を前後方向に伸縮可能に連結する伸縮手段３とを具有した蛇腹式テント１に於て、前記門型枠体２と伸縮手段３とを着脱可能に取付ける着脱手段４を設ける。門型枠体２は、天井部５と支柱６とが着脱可能で且つ旋回可能に嵌合されている。【選択図】        図６
2007056464.tif 000002
【特許請求の範囲】
【請求項１】
天井部と支柱を備えた複数の門型枠体と、各門型枠体を前後方向に伸縮可能に連結する伸縮手段とを具有した蛇腹式テントに於て、前記門型枠体と伸縮手段とを着脱可能に取付ける着脱手段を設けた事を特徴とする蛇腹式テント。
【請求項２】
門型枠体は、天井部と支柱とが着脱可能で且つ旋回可能に嵌合されている請求項１に記載の蛇腹式テント。
【請求項３】
伸縮手段は、各門型枠体の支柱間に配されて交点が枢軸に依り回転可能に枢結された複数のＸ型リンクと、各Ｘ型リンクの上端に回転可能に設けられた上枢軸と、各Ｘ型リンクの下端に回転可能に設けられた下枢軸と、上枢軸と下枢軸の何れか一方に設けられた環体と、各支柱の上下方向に沿って配されて環体が遊嵌される案内杆とを備えている請求項１に記載の蛇腹式テント。
【請求項４】
着脱手段は、上枢軸と下枢軸の何れか他方に設けられた第一ブラケットと、案内杆に設けられた第二ブラケットと、両ブラケットを門型枠体の支柱に着脱可能に締結する締結具とを備えている請求項１に記載の蛇腹式テント。
【発明の詳細な説明】
【技術分野】
【０００１】
本発明は、例えばガレージや物置や温室や通路等として用いられる蛇腹式テントの改良に関する。
【背景技術】
【０００２】
従来、この種の蛇腹式テントとしては、例えば天井部と支柱を備えた複数の門型枠体と、各門型枠体を前後方向に伸縮可能に連結する伸縮手段とを具有したものが知られている（特許文献１〜９参照）。
【０００３】
【特許文献１】特開昭４９−３８４１８号公報
【特許文献２】実開昭５１−１５８１３３号公報
【特許文献３】実公昭６０−９３４０号公報
【特許文献４】実公昭６１−３６７０６号公報
【特許文献５】実公昭６０−１７４７２号公報
【特許文献６】実公平２−３４３６９号公報
【特許文献７】実開平３−１１５７７８号公報
【特許文献８】実開平７−３４１６８号公報
【特許文献９】特開平９−１９５５８６号公報
【発明の開示】
【発明が解決しようとする課題】
【０００４】
ところが、従来の何れのものも、門型枠体と伸縮手段とが簡単に分離できない様に構成されていたので、容積と重量が非常に大きくなり、容易に運搬したり保管する事ができなかった。例えば門型枠体や伸縮手段という様に組立部品（アッセンブリ）化して運搬したり保管したりする事が難しかった。
【０００５】
本発明は、叙上の問題点に鑑み、これを解消する為に創案されたもので、その課題とする処は、組立部品化できて運搬したり保管したりし易い様にした蛇腹式テントを提供するにある。
【課題を解決するための手段】
【０００６】
本発明の蛇腹式テントは、基本的には、天井部と支柱を備えた複数の門型枠体と、各門型枠体を前後方向に伸縮可能に連結する伸縮手段とを具有した蛇腹式テントに於て、前記門型枠体と伸縮手段とを着脱可能に取付ける着脱手段を設けた事に特徴が存する。
【０００７】
蛇腹式テントの膜体が外された後に、門型枠体と伸縮手段とが着脱手段に依り離脱されると、これらが分離されて各門型枠体や各伸縮手段毎に一纏めにされて所謂組立部品化される。従って、蛇腹式テント全体に比べて容積及び重量が小さくなるので、それだけ運搬したり保管したりし易くなる。
門型枠体と伸縮手段とが着脱手段に依り装着されると、これらが合体されてその外側に膜体が覆い被せられ、蛇腹式テントにされる。そして、蛇腹式テントの各門型枠体が伸縮手段に依り前後方向に伸縮されると、膜体も拡縮されて所定の空間が形成される。
【０００８】
門型枠体は、天井部と支柱とが着脱可能で且つ旋回可能に嵌合されているのが好ましい。この様にすれば、天井部と支柱とが着脱可能であるので、門型枠体を天井部と支柱とに分離できる。天井部と支柱とが旋回可能に嵌合されているので、蛇腹式テントを平面に於て扇形に彎曲でき、直線だけでなく曲線の通路（空間）を形成する事ができる。
【０００９】
伸縮手段は、各門型枠体の支柱間に配されて交点が枢軸に依り回転可能に枢結された複数のＸ型リンクと、各Ｘ型リンクの上端に回転可能に設けられた上枢軸と、各Ｘ型リンクの下端に回転可能に設けられた下枢軸と、上枢軸と下枢軸の何れか一方に設けられた環体と、各支柱の上下方向に沿って配されて環体が遊嵌される案内杆とを備えているのが好ましい。この様にすれば、環体と案内杆から成るスライド部分を極めて簡単に構成する事ができ、製作が容易でコストの低減を図る事ができる。蛇腹式テントを扇形に彎曲させる場合、環体と案内杆とが遊嵌されているので、これが容易に行える。
【００１０】
着脱手段は、上枢軸と下枢軸の何れか他方に設けられた第一ブラケットと、案内杆に設けられた第二ブラケットと、両ブラケットを門型枠体の支柱に着脱可能に締結する締結具とを備えているのが好ましい。この様にすれば、ブラケットを二つにしたので、単一にした場合に比べてその全長を短くでき、それだけ重量を軽減できる。
【発明の効果】
【００１１】
本発明に依れば、次の様な優れた効果を奏する事ができる。
（１）  天井部と支柱を備えた複数の門型枠体と、各門型枠体を前後方向に伸縮可能に連結する伸縮手段とを具有した蛇腹式テントに於て、前記門型枠体と伸縮手段とを着脱可能に取付ける着脱手段を設けたので、門型枠体と伸縮手段とを容易に分離する事ができ、これらを組立部品として個別に運搬したり保管したりする事ができる。
（２）  着脱手段を設けるだけであるので、構造が簡単でコストが余り掛からず、既存のものへも容易に適用できる。
【発明を実施するための最良の形態】
【００１２】
以下、本発明の実施の形態を、図面に基づいて説明する。
図１は、本発明の蛇腹式テントを示す正面図。図２は、図１の側面図。図３は、伸長状態を示す側面図。図４は、要部を拡大して示す正面図。図５は、扇形にした状態を示す平面図。図６は、分離状態を示す正面図である。
【００１３】
蛇腹式テント１は、門型枠体２、伸縮手段３、着脱手段４とからその主要部が構成されている。
【００１４】
門型枠体２は、天井部５と支柱６を備えて前後方向に配された複数のもので、この例では、天井部５と、これの両端から垂下された左右の支柱６と、これらの下部に設けられた車輪７とを備えて居り、七つのものが前後方向に配されている。
門型枠体２は、天井部５と支柱６とが着脱可能で且つ旋回可能に嵌合されている。
【００１５】
天井部５は、最外端（前後方向に於ける最外端）に位置する前後のものが、丸パイプ製の弧状材８と、これらの下部同士を連結する角パイプ製の梁材９と、これらの中央同士を連結するパイプ製の縦材１０と、梁材９の下側に付設されてこれと略同長のカーテンレール１１とを備えていると共に、それ以外のものが、弧状材８だけで構成されている。
支柱６は、角パイプ製にしてあり、上部には、天井部５の下端部を受け止める為の受止具１２と、天井部５の下端部を固定する為の固定具１３とが設けられていると共に、下部には、矩形状の座板１４が設けられている。受止具１２は、支柱６の上部寄りの部分を貫通して穿設されたボルト穴と、これに挿通されるボルトと、これに螺合されるナットとを備えている。固定具１３は、支柱６の上部内側（左右方向に於ける内側）に穿設されたボルト穴と、これに連通すべく支柱６に溶接されたナットと、これに螺合されてボルト穴を介して支柱６内に嵌合された天井部５の下端部に当合し得るボルトとを備えている。
車輪７は、支柱６の座板１４の下部に設けられて居り、路面上を転動し得る旋回可能なキャスタにしてあり、最外端に位置する前後のものは、ブレーキ付きにしてある。
【００１６】
而して、各門型枠体２の外側には、膜体（テントシート）１５が覆い被せられると共に、カーテンレール１１には、カーテン１６が吊り下げられる。
【００１７】
伸縮手段３は、各門型枠体２を前後方向に伸縮可能に連結するもので、この例では、各門型枠体２の支柱６間に配されて交点が枢軸１７に依り回転可能に枢結された複数のＸ型リンク１８と、各Ｘ型リンク１８の上端に回転可能に設けられた上枢軸１９と、各Ｘ型リンク１８の下端に回転可能に設けられた下枢軸２０と、上枢軸１９と下枢軸２０の何れか一方に設けられた環体２１と、各支柱６の上下方向に沿って配されて環体２１が遊嵌される案内杆２２とを備えている。
【００１８】
Ｘ型リンク１８は、二つの丸パイプ製のリンクがＸ型にされてその交点が枢軸（ボルトと袋ナット）１７に依り枢結されたものが左右に六つづつ設けられている。各リンクの両端部は、プレス加工に依り扁平にされている。
各Ｘ型リンク１７の上端のうち最外端に位置する前後のものは、上枢軸（頭部なしボルトと袋ナット）１９が回転可能に設けられていると共に、これ以外のものは、隣接するものどうしが重ねられて同一の上枢軸１９に依り枢結されている。各Ｘ型リンク１７の下端のうち最外端に位置する前後のものは、下枢軸（植付けボルトとカラーと袋ナット）２０が回転可能に設けられていると共に、これ以外のものは、隣接するものどうしが重ねられて同一の下枢軸２０に依り枢結されている。
環体２１は、アイナットにしてあり、各Ｘ型リンク１８の上端に設けられた上枢軸１９（頭部なしボルト）に螺合して取付けられている。
案内杆２２は、略コ型を呈し、丸棒を折曲して作製してある。
【００１９】
着脱手段４は、門型枠体２と伸縮手段３とを着脱可能に取付けるもので、この例では、上枢軸１９と下枢軸２０の何れか他方に設けられた第一ブラケット２３と、案内杆２２に設けられた第二ブラケット２４と、両ブラケット２３，２４を門型枠体２の支柱６に着脱可能に締結する締結具２５とを備えている。
【００２０】
第一ブラケット２３は、短尺な板状を呈し、門型枠体２の支柱６の下側内面（左右方向に於ける内面）に位置されると共に、その内面には下枢軸（植付けボルト）２０が溶接に依り植設されている。
第二ブラケット２４は、案内杆２２より長尺な板状を呈し、門型枠体２の支柱６の上側内面に位置されると共に、その内面には予め環体２１が挿通された案内杆２２の両端が溶接に依り固定されている。
締結具２５は、第一ブラケット２３及び第二ブラケット２４に穿設された上下一対のボルト穴と、各支柱６の下部及び上部に螺設された夫々上下一対の螺孔と、各ボルト穴に挿通されてこれに対応する螺孔に螺合されるボルトとを備えている。
【００２１】
蛇腹式テント１は、この他に、伸長状態を保つ為の伸長保持手段２６を備えている。
伸長保持手段２６は、この例では、最外端に位置する前後の門型枠体２の支柱６とこれに隣接する支柱６との間に介設されて居り、倒立略Ｕ型を呈する丸パイプ製の保持杆２７と、支柱６の内面に溶接に依り設けられて保持杆２７の両端が着脱可能に嵌合される丸パイプ製の受筒２８とを備えている。
【００２２】
次に、この様な構成に基づいてその作用を述解する。
図６に示す如く、膜体１５とカーテン１６が取り外された後に、門型枠体２と伸縮手段３とが着脱手段４に依り離脱されると、これらが分離される。つまり、着脱手段４の締結具（ボルト）２５を外すと、門型枠体２の支柱６から第一ブラケット２３と第二ブラケット２４が外れるので、門型枠体２から左右の伸縮手段３が分離される。
加えて、門型枠体２の固定具（ボルト）１３を緩めると、門型枠体２の天井部５と左右の支柱６とを分離する事ができる。
従って、蛇腹式テント１は、膜体１５とカーテン１６を除いた場合、門型枠体２の天井部５と、門型枠体２の左右の支柱６と、左右の伸縮手段３という様に分離されてこれらが夫々一纏めにされて所謂組立部品化される。
分離後の各組立部品は、容積及び重量が小さくなるので、それだけ運搬したり保管したりし易くなる。
【００２３】
図１乃至図４に示す如く、門型枠体２と伸縮手段３とが着脱手段４に依り装着されると、これらが合体され、各門型枠体２の外側に膜体１５が覆い被せられると共に、カーテンレール１１にカーテン１６が吊下げられて蛇腹式テント１にされる。
各門型枠体２が伸縮手段３に依り前後方向に伸縮されると、膜体１５も拡縮されて所定の空間が形成される。この時、各門型枠体２は、車輪７を備えているので、伸縮移動が容易に行える。
【００２４】
図５に示す如く、左右のうちの一方の伸縮手段３を短縮状態にすると共に、他方の伸縮手段３を伸長状態にすると、各門型枠体２を平面から見て扇形に彎曲させる事ができる。この時、門型枠体２の天井部５と支柱６とが旋回可能に嵌合されていると共に、伸縮手段３のＸ型リンク１８が丸パイプにされてこれらが線接触する様にしてあり、然も、環体２１と案内杆２２とが遊嵌されて所謂スライド部分がルーズにしてあるので、前記彎曲が円滑に行われる。
【００２５】
蛇腹式テント１は、車輪（キャスタ）８を備えているので、使用時には伸長させると共に、不使用時には収縮させて適宜の保管場所に移動する事ができる。
蛇腹式テント１は、膜体１５やカーテン１６を透明なものにすれば、温室として利用する事ができる。
【００２６】
尚、門型枠体２は、先の例では、七つであったが、これに限らず、例えばこれ以外の複数でも良い。
伸縮手段３は、先の例では、環体２１と案内杆２２とから成るスライド部分を支柱６の上側に配置したが、これに限らず、例えば下側でも良い。
着脱手段４は、先の例では、第一ブラケット２３と第二ブラケット２４とに分けていたが、これに限らず、例えばこれらを一体に形成しても良い。
着脱手段４は、先の例では、ボルト等の締結具２５を用いたが、これに限らず、例えばワンタッチで係脱できる係脱具を用いても良い。
車輪７は、先の例では、キャスタであったが、これに限らず、例えばレールに案内されてこの上を転動する軌道輪でも良い。
【図面の簡単な説明】
【００２７】
【図１】本発明の蛇腹式テントを示す正面図。
【図２】図１の側面図。
【図３】伸長状態を示す側面図。
【図４】要部を拡大して示す正面図。
【図５】扇形にした状態を示す平面図。
【図６】分離状態を示す正面図。
【符号の説明】
【００２８】
１…蛇腹式テント、２…門型枠体、３…伸縮手段、４…着脱手段、５…天井部、６…支柱、７…車輪、８…弧状材、９…梁材、１０…縦材、１１…カーテンレール、１２…受止具、１３…固定具、１４…座板、１５…膜体、１６…カーテン、１７…枢軸、１８…Ｘ型リンク、１９…上枢軸、２０…下枢軸、２１…環体、２２…案内杆、２３…第一ブラケット、２４…第二ブラケット、２５…締結具、２６…伸長保持手段、２７…保持杆、２８…受筒。
【図１】
2007056464.tif 000003
【図２】
2007056464.tif 000004
【図３】
2007056464.tif 000005
【図４】
2007056464.tif 000006
【図５】
2007056464.tif 000007
【図６】
2007056464.tif 000008